(57)【要約】【課題】座席に設置されたシート状装置内の作用部の動作をユーザの座り方に応じて制御できるようにする。【解決手段】シート状装置１００の上下半分の部分１０１ａ及び１０１ｂには、荷重センサ１０２ａ及び１０２ｂ、ヒータ１０４ａ１等、温度センサ１０６ａ１等が設けられている。部分１０１ａ及び１０１ｂの一方が座席の座部上に、他方が背もたれに面するように配置される。シート状装置１００が設置された座席上にユーザが座ると、制御部は、荷重センサ１０２ａ及び１０２ｂの検知荷重から、部分１０１ａ及び１０１ｂがそれぞれ座部又は背もたれのどちらにあるかを判定し、座部側と背もたれ側とで、ヒータ１０４ａ１等の設定温度その他の制御を切り替える。【選択図】図１
2019130231.tif 000002
【特許請求の範囲】
【請求項１】
座席上に配置されるシートであって、前記シートの面に作用する力の分布を検知するための１以上のセンサと、人体に対して作用をもたらす作用部と、を内蔵したシートと、
前記１以上のセンサが検知した前記力の分布に基づき前記作用部の動作を制御する制御手段と、
を含むシート状装置。
【請求項２】
前記シートは、前記座席の座部から背もたれにわたる大きさであり、
前記制御手段は、前記力の分布から前記シートのうち前記座部上に位置する部分と前記背もたれに位置する部分を判別し、前記座部上に位置する部分内の前記作用部と、前記背もたれに位置する部分内の前記作用部とで、異なる制御を行う、請求項１に記載のシート状装置。
【請求項３】
前記制御手段は、前記力の分布に基づき前記シート上に座っている前記人体の基準部位の位置を特定し、前記基準部位の位置を基準に前記作用部の動作を制御する、請求項１又は２に記載のシート状装置。
【請求項４】
前記シートには、前記作用部の１つとして、前記人体に温熱作用をもたらすヒータが設けられており、
前記制御手段は、前記力の分布から特定される前記基準部位としての前記人体の両脚の付け根の位置に最も近いヒータを他のヒータよりも強い強度で動作させる、請求項３に記載のシート状装置。
【請求項５】
前記シートには、前記作用部の１つとして、前記人体にマッサージ作用をもたらすマッサージ装置が設けられており、
前記制御手段は、前記力の分布から特定される前記基準部位としての前記人体の両脚の付け根の位置を基準に推定される前記人体の１以上のツボに最も近いマッサージ装置を、他の位置のマッサージ装置よりも強い強度で動作させる、請求項３又は４に記載のシート状装置。
【請求項６】
前記シートには、前記作用部の１つとして、前記人体に振動作用をもたらす振動装置が設けられており、
前記制御手段は、前記力の分布から特定される前記基準部位に最も近い前記振動装置を、他の位置の振動装置よりも強い強度で動作させる、請求項３〜５のいずれか１項に記載のシート状装置。
【請求項７】
前記シートには、前記作用部の１つとして、前記人体に微弱電流を供給する供給装置が設けられており、
前記制御手段は、前記力の分布から特定される前記基準部位の位置を基準に、前記供給装置のうちのいずれから前記微弱電流が供給されるかを制御する、請求項３〜６のいずれか１項に記載のシート状装置。
【発明の詳細な説明】
【技術分野】
【０００１】
本発明はシート状装置に関する。
【背景技術】
【０００２】
特許文献１に記載のシステムでは、集中管理部は、複数のマッサージチェアと個々に異なるチャンネルの赤外線信号によって情報を送受信している。マッサージチェア側からは、使用者の体重、身長、年齢、性別、心拍数、血圧、筋力等が送信される。すると、集中管理部は、その使用者に最も適したマッサージパターンをパターンマッチングによって設定し、マッサージチェアへ送り返す。これによって、個々のマッサージチェアは、それぞれの使用者に最も適した態様でマッサージを施すことができる。
【０００３】
特許文献２に記載されたマッサージチェアにおいて、チェア本体では、もみ玉は座部に着座した使用者にマッサージを施し、スピーカはその使用者に対して音楽等の音声を発生する。発光素子と受光素子との間の光路が遮られたか否かに基づいて使用者が座部に着座しているか否かを判断し、着座していないときはスピーカの音量を下げ、着座しているときはスピーカの音量を上げる。このため、使用者が電源を切らずにチェア本体から離れても、音声が周囲に漏れるのを良好に防止することができる。また、スピーカの音量は徐々に変化するので、その音量の変化によって使用者のリラックス状態が害されることもない。
【０００４】
特許文献３に記載のマッサージ機は、マット型であり、使用者の身長方向に沿って並ぶ複数の分割体を含むマット本体と、第一分割体の左右それぞれに設けられエアの供給により膨張可能である第一エアセルと、第二分割体の左右それぞれに設けられエアの供給により膨張可能である第二エアセルと、左右の第一エアセルの内の一方を独立して膨張させるための動作と、左右の第二エアセルの内の一方を独立して膨張させるための動作が可能であるエア供給装置とを備えている。
【０００５】
特許文献４には、薄くシート状に配列した光ファイバアレイを用いたセンサが開示される。このセンサは、例えば、椅子の座面に設置するクッションに内蔵され、そのクッション上に座るユーザの脈拍や呼吸を計測するのに用いられる。すなわち、脈拍や呼吸による微細で周期的な身体（臀部から太もも等）の動きが光ファイバアレイに与える振動や動きが、その中を通る光信号に周期的な変化をもたらすので、その変化を検知することで、単位時間あたりの脈拍数や呼吸数を計測するのである。
【先行技術文献】
【特許文献】
【０００６】
【特許文献１】特開２００１−１２０６２２号公報
【特許文献２】特開２００１−１２０６３０号公報
【特許文献３】特開２０１７−１４３９３９号公報
【特許文献４】米国特許出願公開第２０１７／０２１５７３６号公報
【発明の概要】
【発明が解決しようとする課題】
【０００７】
本発明は、座席に設置されたシート状装置内の作用部の動作をユーザの座り方に応じて制御できるようにすることを目的とする。
【課題を解決するための手段】
【０００８】
請求項１に係る発明は、座席上に配置されるシートであって、前記シートの面に作用する力の分布を検知するための１以上のセンサと、人体に対して作用をもたらす作用部と、を内蔵したシートと、前記１以上のセンサが検知した前記力の分布に基づき前記作用部の動作を制御する制御手段と、を含むシート状装置である。
【０００９】
請求項２に係る発明は、前記シートは、前記座席の座部から背もたれにわたる大きさであり、前記制御手段は、前記力の分布から前記シートのうち前記座部上に位置する部分と前記背もたれに位置する部分を判別し、前記座部上に位置する部分内の前記作用部と、前記背もたれに位置する部分内の前記作用部とで、異なる制御を行う、請求項１に記載のシート状装置である。
【００１０】
請求項３に係る発明は、前記制御手段は、前記力の分布に基づき前記シート上に座っている前記人体の基準部位の位置を特定し、前記基準部位の位置を基準に前記作用部の動作を制御する、請求項１又は２に記載のシート状装置である。
【００１１】
請求項４に係る発明は、前記シートには、前記作用部の１つとして、前記人体に温熱作用をもたらすヒータが設けられており、前記制御手段は、前記力の分布から特定される前記基準部位としての前記人体の両脚の付け根の位置に最も近いヒータを他のヒータよりも強い強度で動作させる、請求項３に記載のシート状装置である。
【００１２】
請求項５に係る発明は、前記シートには、前記作用部の１つとして、前記人体にマッサージ作用をもたらすマッサージ装置が設けられており、前記制御手段は、前記力の分布から特定される前記基準部位としての前記人体の両脚の付け根の位置を基準に推定される前記人体の１以上のツボに最も近いマッサージ装置を、他の位置のマッサージ装置よりも強い強度で動作させる、請求項３又は４に記載のシート状装置である。
【００１３】
請求項６に係る発明は、前記シートには、前記作用部の１つとして、前記人体に振動作用をもたらす振動装置が設けられており、前記制御手段は、前記力の分布から特定される前記基準部位に最も近い前記振動装置を、他の位置の振動装置よりも強い強度で動作させる、請求項３〜５のいずれか１項に記載のシート状装置である。
【００１４】
請求項７に係る発明は、前記シートには、前記作用部の１つとして、前記人体に微弱電流を供給する供給装置が設けられており、前記制御手段は、前記力の分布から特定される前記基準部位の位置を基準に、前記供給装置のうちのいずれから前記微弱電流が供給されるかを制御する、請求項３〜６のいずれか１項に記載のシート状装置である。
【発明の効果】
【００１５】
請求項１に係る発明によれば、座席に設置されたシート状装置内の作用部の動作をユーザの座り方に応じて制御できる。
【００１６】
請求項２に係る発明によれば、人体の下半身（臀部や太もも等）と背中（腰等）に対してそれぞれ対応する作用をもたらすことができる。
【００１７】
請求項３に係る発明によれば、座っている人体のなかで作用部の作用対象とする部位を、圧力分布から特定可能な人体の基準部位から求め、その作用対象の部位に作用をもたらすことができる。
【００１８】
請求項４に係る発明によれば、温め効果が高い両脚の付け根に加温することができる。
【００１９】
請求項５に係る発明によれば、両脚の付け根の近傍のツボをマッサージすることができる。
【００２０】
請求項６に係る発明によれば、振動による血行促進効果が高い部位に振動を与えることができる。
【００２１】
請求項７に係る発明によれば、どの供給装置から微弱電流を供給するかを制御することができる。
【図面の簡単な説明】
【００２２】
【図１】シート状装置の一例（ヒータ機能）における各種の電装品のシート面内での配置位置を例示する図である。
【図２】シート状装置の使用状態を模式的に示す図である。
【図３】シート状装置の機能構成を例示する図である。
【図４】図１のシート状装置の制御処理の手順を例示する図である。
【図５】図１のシート状装置の制御処理における座部モードの処理の手順を例示する図である。
【図６】図１のシート状装置の制御処理における背もたれモードの処理の手順を例示する図である。
【図７】シート状装置の別の一例（ヒータ機能）における各種の電装品のシート面内での配置位置を例示する図である。
【図８】図７のシート状装置の制御処理の手順を例示する図である。
【図９】シート状装置の更に別の例（マッサージ機能）における各種の電装品のシート面内での配置位置を例示する図である。
【図１０】人体のツボの一例を示す図である。
【図１１】図９のシート状装置の制御処理の手順を例示する図である。
【図１２】図９のシート状装置において、ユーザが座っている位置に応じて重点的に駆動される揉み玉の位置を例示する図である。
【図１３】マッサージ機能を持つシート状装置の別の例を示す図である。
【図１４】シート状装置の更に別の例（振動機能）における各種の電装品のシート面内での配置位置を例示する図である。
【図１５】人体の背中から下半身にかけての太い血管の位置を示す図である。
【図１６】シート状装置の更に別の例（誘導による微弱電流機能）における各種の電装品のシート面内での配置位置を例示する図である。
【図１７】シート状装置の更に別の例（電極による微弱電流機能）における各種の電装品のシート面内での配置位置を例示する図である。
【図１８】シート状装置の更に別の例（ヒータ機能とリラクゼーション物質放散機能）における各種の電装品のシート面内での配置位置を例示する図である。
【発明を実施するための形態】
【００２３】
図１及び図２を参照して、本実施形態のシート状装置１００の一つの例について説明する。図１及び図２に示すように、シート状装置１００は、例えば、人の横幅程度の幅と人の首から太ももの付け根まで程度の長さ（この横幅及び長さはあくまで一例）を持つ、矩形の比較的薄い装置である。ここでいう「比較的薄い」とは、シート状装置１００を巻いたり折り畳んだりして持ち運びできる程度の厚みであることを意味する。シート状装置１００は、例えば、椅子２０の座部２２から背もたれ２４にわたる範囲に掛けて使用される。なお、図２では、シート状装置１００を目立つように実際の寸法より太い幅で示している。また、この例のシート状装置１００は、着座したユーザの脚部の保温のための膝掛け等のように身体に掛けて使用されることも想定している。
【００２４】
図１に示すように、シート状装置１００内には、長手方向に関する中央（図中破線で示す。ただしシート状装置１００にその中央を示す何らかの印が設けられている必要はない）で２つの部分１０１ａ及び１０１ｂに分けることができる。図中下側の半分の部分１０１ａには、荷重センサ１０２ａ、ヒータ１０４ａ１〜１０４ａ３、温度センサ１０６ａ１〜１０６ａ４等の電装品群が内蔵され、上側の半分の部分１０１ｂには、荷重センサ１０２ｂ、ヒータ１０４ｂ１〜１０４ｂ３、温度センサ１０６ｂ１〜１０６ｂ４等の電装品群が内蔵される。荷重センサ１０２ａと荷重センサ１０２ｂ、ヒータ１０４ａ１〜１０４ａ３とヒータ１０４ｂ１〜１０４ｂ３、温度センサ１０６ａ１〜１０６ａ４と温度センサ１０６ｂ１〜１０６ｂ４とは、それぞれ上述した長手方向中央の破線を対称軸として対称な位置関係にある。
【００２５】
シート状装置１００は、長手方向の対称軸により区切られる下側及び上側の半分の部分１０１ａ及び１０１ｂのうちどちらかが椅子２０の座部２２側に置かれ、残りの半分が背もたれ２４に掛かるように配置される。部分１０１ａと１０１ｂのどちらを座部２２に配置し、どちらを背もたれ２４に配置してもよい。
【００２６】
図１中で横長配置のヒータ１０４ａ１及び１０４ｂ１は、シート状装置１００が敷かれた椅子２０にユーザが座った場合に、ユーザの臀部から両脚の付け根にかけての位置と、腰の位置とにそれぞれ位置する。また、縦長配置のヒータ１０４ａ２及び１０４ａ３、並びにヒータ１０４ｂ２及び１０４ｂ３は、ユーザの両脚の太ももの位置と、背骨の両脇の位置にそれぞれ位置する。例えば部分１０１ａが座部２２上に位置するようにシート状装置１００を椅子２０に設置した場合、ヒータ１０４ａ１はユーザの臀部周辺の位置に、ヒータ１０４ｂ１は腰の位置に、ヒータ１０４ａ２及び１０４ａ３は両脚の太ももの裏側に、おおよそ位置することとなる。臀部から足の付け根あたりの位置と、腰の位置は、リンパの集まるところであり、それらの部分を温めると全身を温める効果が期待される。
【００２７】
ヒータ１０４ａ及び１０４ｂは、電力を熱に変換する装置である。ヒータ１０４ａ１〜１０４ａ３、１０４ｂ１〜１０４ｂ３としては、例えば、遠赤外線セラミックヒータ、シリコンゴムヒータ、ポリイミドフィルムヒータ、テープヒータ、ロープヒータ、リボンヒータ等の様々な種類のヒータを用いてよい。セラミックヒータを用いると、遠赤外線の効果により、シート状装置１００から離れた内臓等を温める効果も期待される。
【００２８】
なお、以下では、互いに区別する必要がない場合は、ヒータ１０４ａ１〜１０４ａ３、ヒータ１０４ｂ１〜１０４ｂ３をヒータ１０４と総称する。
【００２９】
荷重センサ１０２ａ、１０２ｂは、当該センサに掛かる力の大きさを検知するセンサである。荷重センサ１０２ａ及び１０２ｂは、それぞれ臀部・腰部用のヒータ１０４ａ１及び１０４ｂ１の近傍に配置される。ユーザが座った場合、座部２２上の部分１０１ａ又は１０１ｂに設けられた荷重センサ１０２ａ又は１０２ｂは、ユーザの体重による大きな荷重を検知するのに対し、背もたれ２４側の部分１０１ｂ又は１０１ａの荷重センサ１０２ｂ又は１０２ａが検知する荷重は座部２２側のそれよりも顕著に小さい値となる。荷重センサ１０２ａ及び１０２ｂは、シート状装置１００の面内において、ヒータ１０４ａ１〜１０４ａ３、１０４ｂ１〜１０４ｂ３と重ならない位置に配置してもよい。また、荷重センサ１０２ａ及び１０２ｂは、シート状装置１００の面内において、他のセンサとも重ならない位置に配置するようにしてもよい。なお、荷重センサ１０２ａ及び１０２ｂの代わりに、圧力センサを用いてもよい。
【００３０】
温度センサ１０６ａ１〜１０６ａ４及び１０６ｂ１〜１０６ｂ４は、ヒータ１０４ａ１〜１０４ａ３、１０４ｂ１〜１０４ｂ３による加熱の制御のために用いられる。それら温度センサは、ユーザの身体のうちそれらヒータの熱を最も強く受ける部分の近傍の温度を検知する。検知された温度は、それらヒータの制御にフィードバックされる。
【００３１】
温度センサ１０６ａ１及び１０６ａ３はヒータ１０４ａ２に沿って配置され、温度センサ１０６ａ２及び１０６ａ４はヒータ１０４ａ３の隣に配置されている。これらのうち温度センサ１０６ａ１及び１０６ａ２は、横長配置のヒータ１０４ａ１の近くに配置され、温度センサ１０６ａ３及び１０６ａ４は、シート状装置１００の長手方向についての端部近傍に配置される。温度センサ１０６ａ１及び１０６ａ２のその長手方向に関する配置位置は、シート状装置１００の半分の部分１０１ａが椅子２０の背もたれ２４に配置された場合に、着座しているユーザの腰に面する位置である。また温度センサ１０６ａ３及び１０６ａ４のその長手方向に関する配置位置は、その半分の部分１０１ａが座部２２上に配置された場合に、その上に着座しているユーザの太ももの裏側の膝近くの部位が面する位置である。温度センサ１０６ａ１〜１０６ａ４、１０６ｂ１〜１０６ｂ４は、シート状装置１００の面内において、ヒータ１０４ａ１〜１０４ａ３、１０４ｂ１〜１０４ｂ３と重ならない位置に配置してもよい。また、温度センサ１０６ａ１〜１０６ａ４、１０６ｂ１〜１０６ｂ４は、なるべくシート状装置１００の表側の面の、表面に近い位置に設ける。
【００３２】
また、図示は省略するが、シート状装置１００内には、それら電装品群に対して電力を供給するための電源回路と、電力供給や制御信号の伝達のための配線が設けられている。電源回路は、商用電源等の外部電源又は当該部材が内蔵する電池（例えば充電池）から電力供給を受け、各電装品に電力を供給する。ここでいう外部電源からの電力供給には、商用電源のコンセントからの供給以外に、例えば、ＵＳＢ（Universal Serial Bus）（商標）等の給電機能を持つインタフェースを介するパーソナルコンピュータその他の機器からの電力供給も含まれ得る。
【００３３】
シート状装置１００は、椅子２０等の座席に対して着脱自在であり、ユーザが座る様々な座席に設置可能である。
【００３４】
シート状装置１００は、収納や運搬のために全体的に巻き取ることが可能な柔軟な材質で構成してもよい。この場合、シート状装置１００は、椅子２０の背もたれ２４の表面に対して外装生地の摩擦力で（あるいは、更に、シート状装置１００の一部を背もたれ２４の上部を跨いで裏側まで掛けることによる重さのバランスを利用して）付着し、下にずり落ちない。例えば、シート状装置１００の表側の面（ユーザに身体に接する面）をウール素材等の保温性が高い繊維の生地で形成し、裏側の面（椅子２０等の座面、背もたれ面に接する面）の全部又は一部をフェルトやフランネル生地のような高摩擦素材で形成してもよい。例えばウール生地を表側の面に用いた場合、保温性に加え、吸湿・放湿性、難燃性、防汚性、弾力性（形くずれしにくく、シワ等が固定されにくい）等の特性も得られる。また、シート状装置１００の表側の面の生地に、抗菌機能や消臭機能を持つ繊維を混ぜてもよい。また、シート状装置１００の裏側の面の例えば外周部に、縁取りする形で高摩擦生地を貼り付け又は縫い付けてもよい。シート状装置１００を、上述した電装品群を備えた本体部と、この本体部を覆う着脱自在のカバーとから構成してもよい。この場合、カバーの表及び裏側の面をそのようにウール素材及び高摩擦素材でそれぞれ構成してもよい。
【００３５】
また、別の態様として、シート状装置１００の少なくとも背もたれ２４に面する部分を、自立可能な程度の硬さを持つ構成としてもよい。この場合、シート状装置１００は、収納や運搬等のために例えば背もたれ部と座部の境界で二つ折りにできるようにしてもよい。
【００３６】
次に、図３を参照して、シート状装置１００の電気的機能構成の一例を説明する。前述の通り、シート状装置１００は、上述した荷重センサ１０２ａ及び１０２ｂ、ヒータ１０４ａ１〜１０４ａ３及び１０４ｂ１〜１０４ｂ３、温度センサ１０６ａ１〜１０６ａ４及び１０６ｂ１〜１０６ｂ４に加え、制御部１１０と通信部１１２とを備える。
【００３７】
制御部１１０は、それらセンサから検知信号や検知データ（以下検知データと総称）を受け取り、それら検知データを処理する。制御部１１０が行う処理には、例えば、それら検知データ群を通信部１１２経由で外部装置に送信する処理が含まれていてもよい。送信先の外部装置は、例えば、サーバ、ＰＣ（パーソナルコンピュータ）、スマートフォン、タブレット端末等である。送信先の外部装置は、制御部１１０にあらかじめ登録されている。また、制御部１１０は、センサ群から得た検知データを解析し、解析結果を求めてもよい。例えば、荷重センサ１０２群の検知荷重の組合せから、制御部１１０がユーザの着座姿勢の良否や種類を判定してもよい。制御部１１０は、センサ群から得た検知データの代わりに、あるいはそれら検知データと共に、それら検知データを解析して得た解析結果の情報を外部装置に送信してもよい。また、制御部１１０は、センサ群からの検知データに基づいて、ヒータ１０４ａ１〜１０４ａ３及び１０４ｂ１〜１０４ｂ３等といった、シート状装置１００内のデバイスの動作を制御する。
【００３８】
通信部１１２は、いずれかの通信規格に準拠したデータ通信を行うための装置である。一つの例では、通信部１１２は、ユーザの持つ携帯端末（スマートフォン、タブレット端末）等との間で、所定の近接通信規格に従った通信を行う。ここで用いる近接通信規格としては、例えばBluetooth（登録商標）、zigbee（商標）、z-wave（商標）等のパーソナルエリア（例えば数十ｃｍ〜数ｍの範囲）をターゲットとする無線通信規格がある。この例では、通信部１１２は、制御部１１０の制御下で、上述のセンサ群が取得したセンサの情報を外部装置に送る。また、別の例では、通信部１１２は、携帯電話規格やＬＰＷＡ（Low Power Wide Area）に分類される各種通信規格（例えばLoRaやSIGFOX）等の広域通信可能な規格を用い、遠隔の外部装置に検知データ等を送信してもよい。
【００３９】
次に、制御部１１０によるヒータ関連の制御の例を説明する。
【００４０】
概略的には、制御部１１０は、対称構造である図１のシート状装置１００の半分の部分１０１ａ及び１０１ｂのどちらが座部２２側でどちらが背もたれ２４側に配置されているかを判定し、その判定結果に従って、部分１０１ａ及び１０１ｂ内のヒータ等を制御する。
【００４１】
制御部１１０の制御の例を図４〜図６に示す。図４は、全体的なモード制御の手順を示し、制御部１１０は、この手順を定期的に繰り返す。
【００４２】
この手順では、制御部１１０は、まず荷重センサ１０２ａ（図４では「ａ側センサ」）の検出している荷重値が、荷重センサ１０２ｂ（図では「ｂ側センサ」）の検出している荷重値以上であるかどうかを判定する（Ｓ１０）。この判定の結果がＹｅｓの場合、シート状装置１００の図１における下側の半分の部分１０１ａが椅子２０の座部２２上に位置している可能性が高い。この場合、制御部１１０は、荷重センサ１０２ａの検出荷重値が閾値以上であるか否かを判定する（Ｓ１２）。この閾値は、人間の上半身に相当する重量がシート状装置１００の半分の部分１０１ａ又は１０１ｂ上にあることを確認するために予め設定されている閾値である。荷重センサ１０２ａの検出荷重値がその閾値以上であればユーザが、座部２２上のシート状装置１００の部分１０１ａの上に座っていると判断できる。この場合、制御部１１０は、部分１０１ａ（図４では「ａ側部分」）内の電装品群を「座部モード」で制御し、部分１０１ｂ（図４では「ｂ側部分」）内の電装品群を「背もたれモード」で制御する（Ｓ１４）。座部モード及び背もたれモードの制御の例は、後で説明する。
【００４３】
Ｓ１０の判定結果がＮｏの場合、シート状装置１００の図１における上側の半分の部分１０１ｂが椅子２０の座部２２上に位置している可能性が高い。この場合、制御部１１０は、荷重センサ１０２ｂの検出荷重値が前述の閾値以上であるか否かを判定する（Ｓ１６）。この判定の結果がＹｅｓであれば、制御部１１０は、部分１０１ｂ（「ｂ側部分」）内の電装品群を「座部モード」で制御し、部分１０１ａ内の電装品群を「背もたれモード」で制御する（Ｓ１８）。
【００４４】
なお、Ｓ１２の判定結果がＮｏの場合、又はＳ１６の判定結果がＮｏの場合は、ユーザがシート状装置１００上に座っていないと判定できるので、制御部１１０は、シート状装置１００全体の電装品群を停止モードで制御する（Ｓ１９）。停止モードでは、制御部１１０は、荷重センサ１０２ａ及び１０２ｂ以外の電装品への電力供給を停止すると共に、自身は、荷重センサ１０２ａ及び１０２ｂからの検知データの監視のみを行う。そして、荷重センサの検知データからユーザがシート状装置１００に座ったと判定した場合（Ｓ１２又はＳ１６の判定結果がＹｅｓ）、その判定結果に応じてシート状装置１００内の各部分１０１ａ及び１０１ｂのモードを決定し、そのモードに応じて各部分１０１ａ及び１０１ｂを制御する。
【００４５】
次に、座部モードの制御の例を、図５を参照して説明する。制御部１１０は、シート状装置１００のうち座部モードの対象とする部分１０１ａ又は１０１ｂ内のヒータ１０４の設定温度範囲を、予め用意されている座部用の範囲に設定する（Ｓ２０）。この例では、ヒータ１０４の設定温度範囲として、座部用と背もたれ用の２種類を用意している。設定温度範囲は、その温度範囲の下限と上限の組で規定される。座部用と背もたれ用の設定温度範囲はそれぞれ個別に規定されるが、それら両範囲が同一であっても構わない。次に、制御部１１０は、座部モードの対象の部分１０１ａ（又は１０１ｂ）内の、４つの温度センサ１０６ａ１〜１０６ａ４（又は１０６ｂ１〜１０６ｂ４）の検知する温度がその座部用の設定温度範囲内に収まるようフィードバック制御を行う（Ｓ２２）。例えば、部分１０１ａを座部モードで制御する場合、温度センサ１０６ａ１〜１０６ａ４の少なくとも一つの検知温度が設定温度範囲の上限を超えた場合にはヒータ１０４ａ１〜１０４ａ３への電力供給を停止し、設定温度範囲の下限を下回った場合はヒータ１０４ａ１〜１０４ａ３への電力供給を再開する。
【００４６】
次に、背もたれモードの制御の例を、図６を参照して説明する。制御部１１０は、シート状装置１００のうち背もたれモードの対象とする部分１０１ａ又は１０１ｂ内のヒータ１０４の設定温度範囲を、予め用意されている背もたれ用の範囲に設定する（Ｓ３０）。次に、制御部１１０は、背もたれモードの対象の部分１０１ｂ（又は１０１ａ）内の４つの温度センサ１０６ｂ１〜１０６ｂ４（又は１０６ａ１〜１０６ａ４）の検知する温度がその背もたれ用の設定温度範囲内に収まるようフィードバック制御を行う（Ｓ３２）。例えば、部分１０１ｂを背もたれモードで制御する場合、温度センサ１０６ｂ１〜１０６ｂ４の少なくとも一つの検知温度が設定温度範囲の上限を超えた場合にはヒータ１０４ｂ１〜ｂ３への電力供給を停止し、設定温度範囲の下限を下回った場合はヒータ１０４ｂ１〜ｂ３への電力供給を再開する。
【００４７】
なお、背もたれモードでは、腰の高さにある横長配置のヒータ１０４ａ１又は１０４ｂ１のみを稼働させる（縦長配置のヒータ１０４ａ２、１０４ａ３等には電力供給を行わない）ことで、腰部を重点的に加温するようにしてもよい。
【００４８】
また、背もたれモードでは、背もたれ側に位置する荷重センサ１０２ａ又は１０２ｂの検知荷重からユーザの背中（腰部）が背もたれから離れたことを検知した（例えば検知荷重が０に近い閾値以下となった）場合、背もたれモードの対象の部分１０１ａ又は１０１ｂ内のヒータ１０４への電力供給を停止してもよい。
【００４９】
図１〜図６を用いて説明した例では、２つの荷重センサ１０２ａ及び１０２ｂの検知荷重から、シート状装置１００に対するユーザからの荷重の分布が、２つの部分１０１ａ及び１０１ｂのどちらに対してより大きいかを判定する。そして、荷重が大きい方が座部２２上、そうでない方が背もたれ２４上と判定し、それぞれに応じた設定温度範囲で温度制御を行う。また、座部モードと背もたれモードでは、温度のフィードバック制御の際に、それぞれ異なる温度センサのペアを参照している。すなわち、座部モードでは、シート状装置１００の長手方向端部に近い側（座っているユーザの膝近くの太ももの裏の位置に相当）の温度センサのペア（例えば温度センサ１０６ａ３及び１０６ａ４）を参照し、背もたれモードでは、腰の位置を温めるヒータ１０４ａ１又は１０４ｂ１の近くの温度センサのペアを参照する。
【００５０】
次に、図７及び図８を参照して、別の例を説明する。
【００５１】
図１〜図６を用いて説明したシート状装置１００とは異なり、図７に例示するシート状装置２００は、座部２２上に配置される部分２０１ａと背もたれ２４に面する部分２０１ｂとが固定的に定まっている。ユーザは、部分２０１ａ及び２０１ｂを椅子２０の座部２２及び背もたれ２４にそれぞれ位置合わせしてシート状装置２００を設置する。
【００５２】
座部２２側の部分２０１ａ内には、図１の例と同様の配置の３つのヒータ２０４ａ１〜２０４ａ３の他に、ヒータ２０４ａ４が設けられている。ヒータ２０４ａ４は、ヒータ２０４ａ１と同じく横長配置であり、ヒータ２０４ａ１よりも図中の下側（すなわち腰掛けたユーザの膝により近い側）に配置される。また、ヒータ２０４ａ１の隣と、ヒータ２０４ａ４の隣とにそれぞれ荷重センサ２０２ａ１及び２０２ａ２が設けられている。また、２つの温度センサ２０６ａ１及び２０６ａ２が、縦長配置のヒータ２０４ａ２及び２０４ａ３の隣の、かつ横長配置のヒータ２０４ａ１の近くに設けられている。
【００５３】
背もたれ２４側の部分２０１ｂ内には、図１の例と同様の配置関係で、３つのヒータ２０４ｂ１〜２０４ｂ３と、荷重センサ２０２ｂが設けられている。また、２つの温度センサ２０６ｂ１及び２０６ｂ２が、縦長配置のヒータ２０４ｂ２及び２０４ｂ３の隣、かつ横長配置のヒータ２０４ｂ１の近くに設けられている。
【００５４】
なお、図示は省略したが、シート状装置２００内には、図３の例と同様の制御部１１０や通信部１１２が設けられている。
【００５５】
この図７及び図８の例では、ユーザが椅子２０への腰掛け方が浅いか深いかを、２つの荷重センサ２０２ａ１及び２０２ａ２の検知データから判別し、この判別結果に応じて、座部２２側の部分２０１ａ内のヒータ２０４ａ１〜２０４ａ４の動作を制御する。図８に示す手順は、この制御の手順の例である。
【００５６】
この手順では、制御部１１０は、座部２２側の部分２０１ａ内の荷重センサ２０２ａ１と２０２ａ２のうち、図中上側の荷重センサ２０２ａ１の検知荷重が、図中下側の荷重センサ２０２ａ２の検知荷重以上であるかどうかを判定する（Ｓ４０）。この判定結果がＹｅｓの場合、荷重センサ２０２ａ１の検知荷重が人間の上半身の重量に基づき定められた閾値以上であるか否かを判定する（Ｓ４２）。この判定の結果がＹｅｓの場合、シート状装置２００が設置された椅子２０に対してユーザが深く腰掛けていると判断できる。この場合、部分２０１ａ内の横長配置のヒータ２０４ａ１及び２０４ａ４のうち図中上側のヒータ２０４ａ１と、縦長配置の２つのヒータ２０４ａ２及び２０４ａ３を稼働させ、これら３つのヒータについて、温度センサ２０６ａ１及び２０６ａ２の検知温度が座部用の設定温度範囲に収まるようフィードバック制御を行う（Ｓ４４）。このとき、下側の横長配置のヒータ２０４ａ４は稼働させない。Ｓ４４の制御により、椅子２０に深く腰掛けているユーザの両脚の付け根の位置がヒータ２０４ａ１で、両脚の太ももの裏がヒータ２０４ａ２及び２０４ａ３で温められる。
【００５７】
Ｓ４０の判定結果がＮｏの場合、荷重センサ２０２ａ１の検知荷重が上述の閾値以上であるか否かを判定する（Ｓ４６）。この判定の結果がＹｅｓの場合、シート状装置２００が設置された椅子２０に対してユーザが浅く腰掛けていると判断できる。この場合、部分２０１ａ内の横長配置のヒータ２０４ａ１及び２０４ａ４のうち図中下側のヒータ２０４ａ４と、縦長配置の２つのヒータ２０４ａ２及び２０４ａ３を稼働させ、温度センサ２０６ａ１及び２０６ａ２の検知温度が座部用の設定温度範囲に収まるようフィードバック制御を行う（Ｓ４８）。このとき、上側の横長配置のヒータ２０４ａ１は稼働させない。Ｓ４８の制御により、浅く腰掛けているユーザの両脚の付け根の位置がヒータ２０４ａ１で、両脚の太ももの裏がヒータ２０４ａ２及び２０４ａ３で温められる。
【００５８】
なお、Ｓ４２の判定結果がＮｏの場合、又はＳ４６の判定結果がＮｏの場合は、ユーザがシート状装置２００上に座っていないと判定できるので、制御部１１０は、シート状装置２００全体の電装品群を停止モードで制御する（Ｓ４９）。
【００５９】
また、背もたれ２４側の部分２０１ｂ内のヒータの制御は、図６に例示した背もたれモードの制御と同様でよい。
【００６０】
このように、図７及び図８の例では、シート状装置２００のうち、椅子２０の座部２２上に置かれる部分２０１ａ内の荷重分布において、座部２２の奥側（荷重センサ２０２ａ１の位置）と手前側（荷重センサ２０２ａ２の位置）のどちらの荷重が大きいかを判定する。そして、荷重が大きい方に近いヒータ２０４ａ１又は２０４ａ４を稼働させることで、ユーザの身体を効率よく温めることができる両脚の付け根を温めることができる。このとき、荷重の小さい方のヒータ２０４ａ４又は２０４ａ１を稼働させないことで、身体への加温効果が少ない位置のヒータへの電力供給を節約する。なお、荷重の小さい方のヒータ２０４ａ４又は２０４ａ１を稼働させない代わりに、荷重の高い方のヒータ２０４ａ１又は２０４ａ４よりも低い電力で稼働させてもよい。
【００６１】
次に、図９及び図１０を参照して、別の例を説明する。この例は、マッサージ機能を備えたシート状装置３００に関する。
【００６２】
このシート状装置３００は、所定のレイアウトで配置された複数の揉み玉３０４と、それら各揉み玉３０４を駆動する駆動機構（図示省略）を内蔵している。また、図示は省略したが、シート状装置３００内には、図３の例と同様の制御部１１０や通信部１１２が設けられている。
【００６３】
このシート状装置３００は、図１のシート状装置１００と同様、内部の主要電装品（揉み玉３０４やその駆動機構、圧力分布センサ３０２ａ、３０２ｂ）が、長手方向の中央線に対して対称に配置されている。
【００６４】
シート状装置３００の、上下半分の各部分３０１ａ及び３０１ｂには、５行７列の配列で揉み玉３０４と、それらを駆動する駆動機構が内蔵されている。また、各部分３０１ａ及び３０１ｂ内の、揉み玉３０４配列と、シート状装置３００の表面（ユーザの身体に接する側の面）との間には、シート状の圧力分布センサ３０２ａ及び３０２ｂがそれぞれ配設されている。圧力分布センサ３０２ａ及び３０２ｂは、それぞれその下にある揉み玉３０４配列全体をカバーする面積を持っている。圧力分布センサ３０２ａ及び３０２ｂは、当該センサの面に対する圧力の分布を検知する。
【００６５】
このシート状装置３００の制御部１１０は、圧力分布センサ３０２ａ及び３０２ｂが検知した圧力分布に基づき、シート状装置３００上に座っているユーザのツボのおおよその位置を推定し、それらツボ位置に該当する揉み玉３０４を重点的に稼働させる。この例では、図１０に例示する承扶、志室、大腸喩、命門、腎兪等というツボの位置を重点的にマッサージする。
【００６６】
制御部１１０は、図１１に示すように、まず圧力分布センサ３０２ａ及び３０２ｂが検知した圧力分布から、部分３０１ａ及び３０１ｂがそれぞれ座部２２側及び背もたれ２４側のどちらに配置されているかを判定すると共に、ツボ位置の推定の基準となるユーザの身体部位（例えばユーザの両脚の付け根の位置や、腰（骨盤）の位置）を推定する（Ｓ５０）。次に制御部１１０は、推定した身体部位の位置に基づいて、対象とするツボの位置を推定する（Ｓ５２）。
【００６７】
Ｓ５０では、圧力分布センサ３０２ａ及び３０２ｂのうち圧力分布が示す圧力の面積積分が大きい（かつその積分値が人間の上半身の重量程度ある）方が、座部２２上にあると判定できる。また、座部２２上の部分３０１ａ又は３０１ｂの圧力分布センサ３０２ａ又は３０２ｂの検知する圧力分布では、臀部の座骨の下の圧力が高く、両脚の間は圧力がほぼないので、その圧力分布の形状から、両脚の付け根の位置を推定される。そして、Ｓ５２では、その両脚の付け根の位置と、太もも部分の圧力が高いラインから承扶というツボの位置が推定される。また、背もたれ２４上の圧力分布センサ３０２ａ又は３０２ｂの圧力分布から骨盤や背骨の位置が推定され、これらに基づいて（さらに脚の付け根の位置等を考慮に入れてもよい）志室、大腸喩というツボの位置が推定される。
【００６８】
そして制御部１１０は、行列状に配列された揉み玉３０４のうち、推定した各ツボ位置に最も近い揉み玉３０４を特定し、それら特定した揉み玉３０４を駆動機構により駆動する（Ｓ５４）。例えば、ユーザの下半身３０が、図１２に例示する配置関係でシート状装置３００の部分３０１ａ上に位置している場合、部分３０１ａ内の揉み玉３０４の配列のうち黒く色づけして示した２つの揉み玉３０４が、ツボ「承扶」を刺激するための揉み玉３０４と特定される。同様に、部分３０１ｂ内の黒く色づけした７つの揉み玉３０４が、志室、大腸喩、命門、腎兪を刺激するためのものとして特定される。
【００６９】
なお、Ｓ５４では、各ツボに対応する揉み玉３０４を１個に限定する必要はない。例えば各ツボに最も近い揉み玉３０４とその周囲の揉み玉３０４を特定し、ツボごとにそれら複数の揉み玉３０４を駆動してもよい。この場合、ツボに最も近い揉み玉３０４の駆動力を、周囲の揉み玉の駆動力よりも相対的に大きくしてもよい。
【００７０】
図９に示したシート状装置３００を用いれば、ユーザがシート状装置３００上へ座る位置が、標準的な位置よりも前後左右にある程度ずれたとしても、ツボの位置に近い揉み玉３０４を重点的に稼働させることができる。
【００７１】
図９に例示したマッサージ機能付きのシート状装置３００は対称形のものであったが、図１３に示す別の例のマッサージ機能付きのシート状装置４００は、座部２２側の部分４０１ａと背もたれ２４側の部分４０１ｂとが固定的に定められている。この例では、座部２２側の部分４０１ａ内の揉み玉４０４の配列は、両脚の付け根に近いツボ「承扶」をカバーするよう３行２列の配列が左右に２つ並んだ構成である。ユーザの座る位置がある程度ずれても、３行２列の揉み玉４０４のどれかが承扶に近い位置に来る。また、背もたれ２４側の部分４０１ｂ内の揉み玉４０４の配列は、ユーザの座る位置がある程度ずれても、志室、大腸喩というツボをカバーできるように定められている。
【００７２】
このように、図９及び図１３に例示したシート状装置３００及び４００は、例えばユーザが座って仕事等を行っているときに、例えば定期的に、あるいは通信部１１２を介して外部装置（例えばユーザが操作する携帯端末）からマッサージ開始指示が到来すると、ツボ位置に対応する揉み玉３０４又は４０４を駆動してマッサージを行う。マッサージの強度を、外部装置から指示できるようにしてもよい。また、長時間のツボ押しは効果がなくなるので、マッサージの開始から所定時間が経過すると揉み玉３０４又は４０４の駆動を停止してもよい。
【００７３】
また、揉み玉３０４又は４０４は、マッサージ以外の目的に用いてもよい。例えば、ユーザが長時間同じ着席姿勢をとり続けた場合に、揉み玉３０４又は４０４を動作させることでユーザに警告を発してもよい。これには、例えば、制御部１１０が、圧力分布センサ３０２ａ及び３０２ｂ等の検知した圧力分布の時系列変化を監視し、予め定めた時間以上にわたって例えば圧力分布の変化が閾値以下の状態が続いた場合に、ユーザが長時間同じ姿勢をとり続けていると判定する。また、圧力分布センサ３０２ａ及び３０２ｂ等が検知した圧力分布から、ユーザの着席姿勢の良否を判定し、姿勢が悪い場合には、揉み玉３０４又は４０４の駆動によりユーザに警告を発してもよい。警告のために駆動する揉み玉３０４又は４０４としては、圧力分布における圧力が大きい位置に近いものを選んでもよい。
【００７４】
なお、図９及び図１３の例において、圧力分布を得るための手段として、シート状の圧力分布センサを用いる代わりに、所定の配置パターンで配置された複数の荷重センサを用いてもよい。
【００７５】
次に、図１４を参照して、別の例を説明する。この例は、振動（バイブレーション）による血行促進機能を備えたシート状装置５００に関する。
【００７６】
このシート状装置５００は、座部２２側の部分５０１ａと背もたれ２４側の部分５０１ｂから構成される。部分５０１ａには、圧力分布センサ５０２ａ、２つのセンサシート５０４、複数の振動部材５０６ａが内蔵されている。また部分５０１ｂには、圧力分布センサ５０２ｂ、複数の振動部材５０６ｂが内蔵されている。
【００７７】
圧力分布センサ５０２ａ及び５０２ｂは、図９及び図１３の例と同様、シート状装置５００に座っているユーザの特徴的な部位（例えば臀部や足の付け根、骨盤の上端等）の位置を特定するために用いられる。
【００７８】
センサシート５０４は、特許文献４に記載されたものと同様の光ファイバアレイを用いたセンサであり、例えば、ユーザの脈拍や呼吸等の動作を検出するのに用いられる。図１４の例では、センサシート５０４は、ユーザの両脚の太ももの裏側に面する位置にそれぞれ設けられている。
【００７９】
振動部材５０６ａ及び５０６ｂは、それぞれ、内蔵している１以上の振動モータの動きに応じて振動する。振動部材５０６ａ及び５０６ｂは、座っているユーザに振動を与えることで、例えば血流促進、体温上昇、腰痛改善、むくみ防止等に寄与する。振動部材５０６ａ及び５０６ｂは、図１５に例示するように、大動脈や大静脈等の太い血管１０００が通っている領域（例えば背骨、太ももの中心線）に沿って配置されている。振動部材５０６ａ及び５０６ｂは、それぞれ並行に２つ又は３つ並べて配置されている。制御部１１０は、圧力分布センサ５０２ａ及び５０２ｂの検知した圧力分布からユーザの両太ももの位置や背骨の位置を特定し、それら並列の複数の振動部材５０６ａ及び５０６ｂのうち、太い血管１０００に最も近いものを重点的に振動させる。この場合、太い血管１０００に最も近いもののみを振動させてもよいし、これに加えて、その隣の振動部材５０６ａ又は５０６ｂをより弱い振動で振動させるようにしてもよい。
【００８０】
制御部１１０は、センサシート５０４が検知した心拍数が予め定めた閾値以下である場合に、振動部材５０６ａ及び５０６ｂを振動させ、ユーザの血流増大を図ってもよい。また、長時間の連続した振動は効果が減衰するので、振動開始から所定時間が経過すると振動を停止してもよい。
【００８１】
また、センサシート５０４を用いない例もあり得る。この場合、制御部１１０は、例えば、圧力分布センサ５０２ａ及び５０２ｂの検知データから、ユーザがシート状装置５００上に着席していると判定されている場合に、振動部材５０６ａ及び５０６ｂの動作を許可する。この場合、制御部１１０は、ユーザが着席している間、振動部材５０６ａ及び５０６ｂの稼働、停止を定期的に切り替えるなどの制御を行えばよい。
【００８２】
次に、微弱電流効果をもたらすシート状装置６００の例を示す。
【００８３】
図１６に示すシート状装置６００は、長手方向の中央（図中破線で示す）に対して対称な構造である。シート状装置６００の半分の部分６０１ａ及び６０１ｂには、荷重センサ６０２ａ及び６０２ｂとコイル６０４ａ及び６０４ｂが内蔵されている。図示省略した制御部１１０は、荷重センサ６０２ａ及び６０２ｂの検知データから、図４と同様の手順で、部分６０１ａ及び６０１ｂがそれぞれ座部２２側及び背もたれ２４側のどちらに位置するかを判定する。そして、制御部１１０は、座部２２側と判定した部分６０１ａ又は６０１ｂ内のコイル６０４ａ又は６０４ｂに交流電力を供給する。供給する交流電力は、ユーザの体内に、生体電流相当の５０μＡ、数ヘルツの微弱電流を誘起する程度の強さ及び周波数とする。体内に誘起された微弱電流は、体組織の新陳代謝の促進や細胞成長の活性化等の効果があるといわれている。これにより例えばコラーゲン繊維活性化・美肌・アンチエイジング・リンパ流向上・血行向上・むくみ防止等の効果が期待される。
【００８４】
座部２２側と判定したコイル６０４ａ又は６０４ｂのみに交流電力を供給する代わりに、座部２２側と背もたれ２４側のコイル６０４ａ及び６０４ｂにそれぞれ異なる強さの交流電力を供給してもよい。
【００８５】
次に、図１７を参照して、電極からユーザに対して微弱電流を供給する例を説明する。図１７の例のシート状装置７００の上下半分の各部分７０１ａ及び７０１ｂの表面には、半導体シート７０２ａ及び７０２ｂがそれぞれ設けられている。半導体シート７０２ａ及び７０２ｂの材質は、例えばゲルマニウムである。また、半導体シート７０２ａ及び７０２ｂの材質としては、炭素やシリコンなどを用いてもよい。また、図示は省略したが、シート状装置７００の内部には、図１に示したシート状装置１００と同様の配置で、荷重センサ１０２ａ及び１０２ｂ、ヒータ１０４ａ１〜１０４ａ３及び１０４ｂ１〜１０４ｂ３、温度センサ１０６ａ１〜１０６ａ４及び１０６ｂ１〜１０６ｂ４、制御部１１０等が内蔵されている。
【００８６】
制御部１１０は、図１の実施例の制御と同様、荷重センサ１０２ａ及び１０２ｂの検出値から、部分７０１ａ及び７０１ｂがそれぞれ座部２２及び背もたれ２４のどちら側にあるかを判定する。また、制御部１１０は、特に背もたれ２４側と判定した部分７０１ａ又は７０１ｂの荷重センサ１０２ａ又は１０２ｂの検出値が所定の閾値以下であれば、ユーザの背中が背もたれ２４に接していないと判断できるので、その部分７０１ａ又は７０１ｂ内のヒータ１０４ａ１〜１０４ａ３又は１０４ｂ１〜１０４ｂ３への電力供給を停止する。したがって、着席しているユーザの背中が背もたれ２４から離れている場合には、ヒータは発熱しない。
【００８７】
ここで、例えばゲルマニウムはセ氏３０度程度の特定温度以上になると微弱電流が流れることが知られている。したがって、シート状装置７００が設置された座席にユーザが座れば、少なくとも座部２２上の部分７０１ａ又は７０１ｂの表面に設けられた半導体シート７０２ａ又は７０２ｂは、その部分内のヒータの熱により上述の特定温度以上となり、微弱電流を発する。この微弱電流が、着席しているユーザに伝わる。一方、ユーザの背中が背もたれ２４から離れている場合、背もたれ２４側の部分７０１ｂ又は７０１ａ内のヒータは発熱しないので、その部分７０１ｂ又は７０１ａの表面の半導体シート７０２ｂ又は７０２ｂは特定温度以上とならないため、微弱電流を発しない。
【００８８】
このように、図１７の例では、着席しているユーザの身体のうち、シート状装置７００に当たっている部分には微弱電流が供給され、当たっていない部分には微弱電流が供給されない。
【００８９】
次に、図７に示したヒータ実施例のシート状装置２００に対して、リラクゼーション効果を持つ物質の放散機能を追加した例を、図１８を参照して説明する。
【００９０】
図１８に示すシート状装置２００Ａは、図７のシート状装置２００に対して、リラクゼーション物質発生部材２１０と持ち手２１２を追加したものである。図１８のシート状装置２００Ａのうち図７のシート状装置２００内の部品と同じ部品については、図が煩雑になるのを避けるために符号の表示を省略した。
【００９１】
リラクゼーション物質発生部材２１０は、シート状装置２００Ａの座部２２側の部分２０１ａ内の、縦長配置のヒータ２０４ａ３の隣に配設される。リラクゼーション物質発生部材２１０は、例えば、アロマオイル等のリラクゼーション物質を含浸させたシート、又はリラクゼーション物質のビーズ等を収容したケース等の形態をとる。後者の場合、ケースの一部又は全部の表面を多孔質の通気性シートで構成することで、リラクゼーション物質から揮発した成分がケース外部に放散されるようにする。
【００９２】
リラクゼーション物質としては、例えばリラクゼーション効果のある各種香料を用いる。香料としては、バラの香りに近いゲラニオール（女性ホルモンの分泌を促す効果があるといわれる）やジメトキシメチルベンゼン（ティーローズエレメントとも呼ばれる。脳の刺激からの再生力の増大、皮膚のターンオーバー促進の効果があるといわれる）、レモングラスの香りに近いネロール（肌の潤いを保つ効果やしみそばかすの予防効果があるといわれる）、フィトンチッド（免疫力向上の効果があるといわれる）等を用いてもよい。また、ピネンのように、特有の香りはないが、リラクゼーション効果をもたらす物質を用いてもよい。ピネンは、副交感神経を刺激し、血流を増大させる効果があるといわれる。
【００９３】
図１８の例では、制御部１１０の制御によりヒータ２０４ａ３（及び２０４ａ１）が発熱すると、その熱によりリラクゼーション物質発生部材２１０内のリラクゼーション物質の揮発が活発化する。これにより、ユーザがシート状装置２００Ａ上に座っているときにリラクゼーション物質が盛んに放散されることになる。
【００９４】
図１８の例では、シート状装置２００Ａに座っているユーザの右側にリラクゼーション物質発生部材２１０が位置しているので、感性面が右脳に対する接続が優位な右側の鼻腔にリラクゼーション物質が達しやすいので、ユーザを感性的にリラックスに導きやすいと期待される。
【００９５】
また、図１８には、電源部２１６の配置位置を例示している。電源部２１６は、例えばコンセント又はＵＳＢケーブルを介して外部電源から電力供給を受け、シート状装置２００Ａ内部の各電装品に低電圧の電力を供給する。電源部２１６は、シート状装置２００Ａの面内において、他の部品と干渉しない位置に配置される。
【００９６】
また、図１８に例示するシート状装置２００Ａは、長手方向の中央部を境に二つ折り可能な構造となっており、二つ折り状態でファスナーや面ファスナー等で留めることで、二つ折り状態で持ち運ぶことができる。ユーザは、持ち手２１２を持って、二つ折り状態のシート状装置２００Ａを持ち運ぶ。
【００９７】
図１８の例は、ヒータによる温度上昇によりリラクゼーション物質を放出させる仕組みを用いているが、別の放出メカニズムを用いてもよい。例えば、リラクゼーション物質発生部材２１０にピエゾ素子等の高周波数で振動可能な振動装置を取り付け、その装置の振動によりリラクゼーション物質を放散させるメカニズムを用いてもよい。この放出メカニズムは、ヒータを持たないシート状装置（例えば図９，図１４の例）にも適用できる。この例では、制御部１１０が、心拍数等の生体の活動指標に基づいてリラクゼーション物質の放出を制御してもよい。心拍数は、図１４の例に示したセンサシート５０４を用いて検出すればよい。例えば心拍数がある閾値より高い場合、ユーザが興奮気味である可能性があるので、リラクゼーション物質の放出を増大させる。
【００９８】
以上、本発明の技術的思想を具現化した様々な例を説明したが、上述の例はあくまで例示的なものにすぎない。上述した例の他、例えば、ヒータ、マッサージ用の揉み玉、振動部材のうちの２種類以上の装置を内蔵し、それら装置に上述した制御と同様の制御を行ってもよい。また、制御の対象となる装置は、ヒータ、揉み玉、振動部材に限らず、ユーザに対して他の作用をもたらす装置であってもよい。
【００９９】
また、以上に例示したシート状装置１００、２００、３００、４００、５００、６００、７００、２００Ａは、いずれも座部２２から背もたれ２４にわたる長さを持つものであったが、これも一例に過ぎない。この代わりに、シート状装置を、座部２２の座面程度の面積を持つ例えばクッションの形態としてもよい。この形態のシート状装置でも、図７の例におけるヒータ２０４ａ１と２０４ａ４のどちらをメインに稼働させるかの制御、図９や図１３の例におけるツボ「承扶」の位置の揉み玉３０４等を駆動させる制御、図１４の例における太もも部分の振動部材５０６ａの駆動制御、と同等の制御は実行可能である。
【符号の説明】
【０１００】
１００  シート状装置、１０１ａ，１０１ｂ  部分、１０２ａ，１０２ｂ  荷重センサ、１０４ａ１〜１０４ａ３、１０４ｂ１〜１０４ｂ３  ヒータ、１０６ａ１〜１０６ａ４，１０６ｂ１〜１０６ｂ４  温度センサ、１１０  制御部、１１２  通信部、２００，２００Ａ  シート状装置、２０１，２０１ｂ  部分、２０２ａ１，２０２ａ２，２０２ｂ  荷重センサ，２０４ａ１〜２０４ａ４，２０４ｂ１〜２０４ｂ３  ヒータ、２０６ａ１，２０６ａ２，２０６ｂ１，２０６ｂ２  温度センサ。
【図１】
2019130231.tif 000003
【図２】
2019130231.tif 000004
【図３】
2019130231.tif 000005
【図４】
2019130231.tif 000006
【図５】
2019130231.tif 000007
【図６】
2019130231.tif 000008
【図７】
2019130231.tif 000009
【図８】
2019130231.tif 000010
【図９】
2019130231.tif 000011
【図１０】
2019130231.tif 000012
【図１１】
2019130231.tif 000013
【図１２】
2019130231.tif 000014
【図１３】
2019130231.tif 000015
【図１４】
2019130231.tif 000016
【図１５】
2019130231.tif 000017
【図１６】
2019130231.tif 000018
【図１７】
2019130231.tif 000019
【図１８】
2019130231.tif 000020